【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
使用者により吸入される１回分の服用量の薬剤を収容するブリスターの蓋部を穿刺するブリスター穿刺要素であって、空気の流れにとりこまれた薬剤が前記ブリスターの外へ出る通路であるアウトレット開口部と、前記開口部の上方に延びて張り出し、当該蓋部への挿入中にブリスターの蓋部のめくれ部分を切断してこれを前記開口部から離れるように押し出す穿刺ヘッドとを備える穿刺要素。
【請求項２】
前記穿刺ヘッドは前記アウトレット開口部の周辺の一部から延びている、請求項１に記載のブリスター穿刺要素。
【請求項３】
前記穿刺ヘッドは前記アウトレット開口部全体に張り出している、請求項１または請求項２に記載のブリスター穿刺要素。
【請求項４】
前記穿刺ヘッドは刃先を備える、前掲の請求項のいずれかに記載のブリスター穿刺要素。
【請求項５】
前記刃先は前記アウトレットに張り出した前記穿刺ヘッドの自由端に形成されている、請求項４に記載のブリスター穿刺要素。
【請求項６】
前記刃先は前記穿刺ヘッドの自由端の近位に形成される、請求項５に記載のブリスター穿刺要素。
【請求項７】
前記刃先の上方に延びる前記穿刺ヘッドの自由端は前記開口部の方に折れ曲がる、請求項６に記載のブリスター穿刺要素。
【請求項８】
前記穿刺ヘッドは、前記刃先の先端のみが最初に前記ブリスター蓋部に接して前記蓋部にスリットを入れ始めるように、前記刃先がブリスター蓋部の面に対して角度をつけるよう構成されている、請求項５から請求項７のいずれかに記載のブリスター穿刺要素。
【請求項９】
前記先端から離れた前記刃先の部分は面取りまたは取り除かれている、請求項８に記載のブリスター穿刺要素。
【請求項１０】
前記穿刺ヘッドはブレード要素を備え、前記刃先は前記ブレード要素の自由単に形成された、ブリスター蓋部に初期スリットを入れる主刃先を備え、前記主刃先により形成された前記切り込みに対してほぼ直角のスリットをブリスター蓋部に入れて、前記穿刺ヘッドにより前記ブリスターに押し込まれるめくれ部分を形成する副刃先は、前記主刃先と前記アウトレットとの間の前記ブレード要素の両端に沿って延びる、請求項４から請求項９のいずれかに記載のブリスター穿刺要素。
【請求項１１】
前記ブレード要素は硬質である、請求項１０に記載のブリスター穿刺要素。
【請求項１２】
前記ブレードは、少なくとも１つの開口部を有する、請求項１０に記載のブリスター穿刺要素。
【請求項１３】
前記副刃先と前記アウトレットとの間に延びる領域は壁によって囲まれている、請求項１０から請求項１２のいずれかに記載のブリスター穿刺要素。
【請求項１４】
少なくとも１つの支持足部が前記刃先と前記アウトレットとの間に延びる、請求項４から請求項１３のいずれかに記載のブリスター穿刺要素。
【請求項１５】
インレット開口部と１対の穿刺ヘッドとを備え、一方の穿刺ヘッドは前記アウトレット開口部の上方に延びてこれに張り出し、他方の穿刺ヘッドは前記インレット開口部の上方に延びてこれに張り出した、前掲の請求項のいずれかに記載のブリスター穿刺要素。
【請求項１６】
前記穿刺ヘッドは背中合わせ構成で配置されている、請求項１５に記載のブリスター穿刺要素。
【請求項１７】
前記穿刺ヘッドは、第１の方向に互いに離間しており、当該第１の方向に対して直角の横方向に互いにオフセットしている、請求項１５または請求項１６に記載のブリスター穿刺要素。
【請求項１８】
前記刃先先端がブリスター蓋部に中心に近いところに切り込みを開始するように各穿刺ヘッドの前記刃先は角度を有し、前記刃先が前記ブリスター蓋部の両端にむけて前記ブリスター蓋部の外向きに反対方向に延びる方向にスリットを入れる、請求項１５から請求項１７のいずれかに記載のブリスター穿刺要素。
【請求項１９】
使用者により吸入される１回分の服用量の薬剤を収容するブリスターの蓋部を穿刺するブリスター穿刺ヘッドであって、穿刺部材がブリスターに侵入するとともに前記蓋部に第１の線形スリットを入れるよう構成された主切断要素と、前記穿刺ヘッドがブリスターに侵入するとともに前記主切断要素により形成された前記第１の線形スリットの両端に延びる第２のスリットを入れるよう構成され、前記主切断要素の両端に延びる副切断要素とを備え、前記主および副切断要素は合わせて前記蓋部に当該主および副切断要素により横に折りたたまれるめくれ部分を形成し、前記副切断要素は、前記ブリスターに侵入するとともに、それぞれ実質的にＶ字型のスリットを前記ブリスター蓋部に形成する、ブリスター穿刺ヘッド。
【請求項２０】
前記副切断要素は、前記Ｖ字型スリットが互いに内側に向き合い、それぞれ前記主切断要素により切断された前記第１の線形スリットとの接触点に頂点を有するよう構成される、請求項１９に記載のブリスター穿刺ヘッド。
【請求項２１】
使用者により吸入される１回分の服用量の薬剤を収容するブリスターの蓋部を穿刺するブリスター穿刺ヘッド（８５）であって、１対の分離して離間された切断要素（８５ａ、８５ｂ）を備え、各切断要素は、前記ブリスターに挿入されるとその蓋部にほぼＶ字型スリットを、一方のＶ字型スリットの頂点が他方のＶ字型スリットの頂点に向かうように、入れるよう構成され、各切断要素は（８５ａ、８５ｂ）は前記ブリスターの蓋部にＶ字型スリットを入れる第１の刃先（８９）を備え、前記刃先（８９）はブリスターの蓋部に最初の切り込みを入れるように設計される頂点（８８）を末端とし、少なくとも一つの切断要素（８５ａ、８５ｂ）は、前記頂点（８８）から他方の切断要素に向かうように延びる第２の刃先（９２）を含み、前記第２の刃先（９２）は、切断要素がブリスターの蓋部に入るとき、切断要素（８５ａ、８５ｂ）の間に、最初のスリットに沿う方向にブリスターの蓋部が拡がるように、各々のＶ字型スリットの頂点の間に拡がるスリットをブリスターの蓋部に入れることを特徴とするブリスター穿刺ヘッド。
【請求項２２】
各切断要素（８５ａ、８５ｂ）はほぼＵ字型であり、ブリスターの中または外への気流開口部を橋渡しする前記Ｕ字型のベース部に前記第１及び第２の刃先（８９、９２）が形成されている、請求項２１に記載のブリスター穿刺ヘッド。
【請求項２３】
前記切断要素（８５ａ、８５ｂ）は互いに向かって角度をつけている、請求項２２に記載のブリスター穿刺ヘッド。
【請求項２４】
前記第１の刃先（８９）は前記切断要素（８５ａ、８５ｂ）の面取りされた部分の端部に形成されている、請求項２２または請求項２３に記載のブリスター穿刺ヘッド。
【請求項２５】
前記面取りされた部分は前記第１の刃先（８９）に交差する角度のあるファセット（９０、９１）を含む、請求項２４に記載のブリスター穿刺ヘッド。
【請求項２６】
前記第１の刃先（８９）の一方の側の前記角度のあるファセット（９１）は前記第２の刃先（９２）と交差する、請求項２５に記載のブリスター穿刺ヘッド。
【請求項２７】
一方の切断要素（８５ｂ）の刃先（８９）の一方の側の角度のあるファセット（９０）は刃先（８９）の他方の側の角度のあるファセット（９１）よりも鋭い、請求項２５に記載のブリスター穿刺ヘッド。
【請求項２８】
前記第１の刃先（８９）の他方の側の前記角度のあるファセット（９１）は前記第２の刃先（９２）を形成するために交差する３次元曲面を形成するようにねじれる、請求項２７に記載のブリスター穿刺ヘッド。
【請求項２９】
ブリッジ要素（９９）が前記切断要素（８５ａ、８５ｂ）の間に延びて、各Ｖ字型スリットの頂点の間に延びる前記ブリスターの領域を裂く、請求項２１から請求項２８のいずれかに記載のブリスター穿刺ヘッド。
【請求項３０】
ブリスターの蓋部に、隣接する開口部を貫通するように、二対の並んだ切断要素（８５ａ、８５ｂ）を含む、請求項２１から請求項２９のいずれかに記載のブリスター穿刺ヘッド。
【請求項３１】
より鋭い角度のあるファセット（９０）を有する各対の切断要素（８５ｂ）は、アクチュエータの旋回軸に最も近接されて配置される、請求項３０に記載のブリスター穿刺ヘッド。
【請求項３２】
各切断要素は当該第１および第２Ｖ字型スリットの頂点の間の前記ブリスター蓋部の領域にスリットを入れ始める副刃先を備える、請求項２２から請求項２９のいずれかに記載のブリスター穿刺ヘッド。
【請求項３３】
使用者により吸入される１回分の服用量の薬剤を収容するブリスターの蓋部を穿刺するブリスター穿刺ヘッドであって、中心軸から径方向に延び、それぞれ前記中心軸から離間したブリスターの蓋部に切り込みを開始する先端を有する複数の切断要素と、各切断要素の先端から径方向に延び、前記中心軸から径方向に延びる前記蓋部にスリットを入れて、前記切断要素が当該蓋部を介して前記ブリスターに軸方向に挿入されている際に前記ブリスター内に折り曲げられるめくれ部分を形成する刃先とを備える、ブリスター穿刺ヘッド。
【請求項３４】
各切断要素の刃先は、前記中心軸の先端から径方向に内側に向かって延びる第１の部分と、前記中心軸の先端から径方向に外側に向かって延びる第２の部分とを有する、請求項３３に記載のブリスター穿刺ヘッド。
【請求項３５】
各切断要素は前記中心軸から径方向に延びる面に配されたブレードであり、前記刃先は前記ブレードの端にそって形成されている、請求項３３または請求項３４に記載のブリスター穿刺ヘッド。
【請求項３６】
前記ブレードの端は前記刃先を形成するために面取りされている、請求項３５に記載のブリスター穿刺ヘッド。
【請求項３７】
前記ブレードは、前記ブリスター内への前記めくれ部分の折りたたみを容易にする、前記ブレードの面から延びる隆起部を有する、請求項３５または請求項３６に記載のブリスター穿刺ヘッド。
【請求項３８】
前記切断要素は表面から直立し、空気がブリスターから流入流出可能である気流開口部にわたって延びる、請求項３３から請求項３７のいずれかに記載のブリスター穿刺ヘッド。
【請求項３９】
突出部は前記切断要素の間の表面から直立し、前記ブリスター内への前記めくれ部分の折りたたみを容易にする、請求項３８に記載のブリスター穿刺ヘッド。
【請求項４０】
前記中心軸から延びる４つの切断要素を備え、各切断要素はその隣接する切断要素にほぼ直角をなす、請求項３３から請求項３９のいずれかに記載のブリスター穿刺ヘッド。